(57)【要約】【課題】遊技者の興趣を高めることが可能な遊技機用可動演出装置及びそれを備えた遊技機を提供する。【解決手段】遊技機用可動演出装置２０は、定常位置と落下位置との間で往復移動可能に支持される可動体７０と、第１モータ３２と、第１モータ３２の駆動力を可動体７０へ伝達する伝達機構１００を備えている。また伝達機構１００は、第１モータ３２の駆動力を受けて動作する回転ギヤ３４及びピニオンギヤ３６と、可動体７０と連動するように構成され、ピニオンギヤ３６の作用を受けるラック４０と、ラック４０に対して第１モータ３２からの駆動力を伝達する伝達状態と、ラック４０に対し第１モータ３２からの駆動力を伝達しない非伝達状態とに切り替え可能なクラッチ機構１３０とを備えている。そして、クラッチ機構１３０を切り替えることで、可動体７０を自重により落下させたり上下に往復移動させることができる。【選択図】図９
2014030595.tif 000002
【特許請求の範囲】
【請求項１】
相対的に高位置となる定常位置と、前記定常位置のときよりも低位置となる落下位置との間で往復移動可能に支持される可動体と、
所定の駆動力を発生する主駆動源と、
該主駆動源の駆動力を前記可動体へ伝達する伝達機構と、
を備え、
前記伝達機構は、
前記主駆動源の駆動力を受けて動作する１又は複数の部材からなる変位部と、
前記可動体と連動するように構成され、且つ前記変位部が接触しているときに当該変位部からの作用を受ける被作用部と、
前記変位部を前記被作用部に作用させて当該被作用部に対して前記主駆動源からの駆動力を伝達する伝達状態と、前記被作用部に対する前記変位部の作用を解除して当該被作用部に対し前記主駆動源からの駆動力を伝達しない非伝達状態とに切り替え可能なクラッチ機構と、を備え、
前記クラッチ機構が前記伝達状態に切り替えられているときには、前記主駆動源からの駆動力が前記可動体に伝達されて当該可動体が上下に往復移動可能となり、
前記クラッチ機構が前記伝達状態から前記非伝達状態に切り替えられたときには、前記可動体に対する駆動力の伝達が遮断され、当該可動体が前記定常位置と落下位置との間の任意の位置から自重により前記落下位置に向けて落下することを特徴とする遊技機用可動演出装置。
【請求項２】
前記可動体が前記定常位置にあるときに該可動体を保持可能な保持状態と、該可動体の保持が困難又は不能な解除状態とに変化し得るように構成された保持手段と、
前記保持手段と前記クラッチ機構とを連動させる連動機構と、
を備え、
前記連動機構は、前記クラッチ機構が前記伝達状態に切り替えられているときに前記保持手段を前記保持状態に変化させ、前記クラッチ機構が前記非伝達状態に切り替えられているときに前記保持手段を前記解除状態に変化させることを特徴とする請求項１に記載の遊技機用可動演出装置。
【請求項３】
前記連動機構は、前記保持手段と前記クラッチ機構とを連結すると共に上下動可能に保持される連結部材を備え、
前記保持手段は、
一端部側が前記連結部材に連結されると共に、他端部側には永久磁石が取り付けられ、これら一端部と他端部との間において上下方向と交差する方向で設定される回動軸線を中心として回動可能となるように構成された揺動部材を有し、
前記可動体には、前記永久磁石と吸着可能な磁性部材が直接又は他部材を介して間接的に取り付けられており、
前記可動体が前記定常位置にあって、前記保持手段が前記保持状態のときに、当該可動体に取り付けられた前記磁性部材と前記揺動部材に取り付けられた前記永久磁石とが吸着することで前記可動体が前記定常位置で保持されることを特徴とする請求項２に記載の遊技機用可動演出装置。
【請求項４】
前記主駆動源は、回転駆動するモータからなり、
前記変位部は、前記主駆動源の駆動力を受けて動作するピニオンギヤを有し、
前記被作用部は、前記変位部を構成する前記ピニオンギヤが接触したときに当該ピニオンギヤと噛み合うラックを有してなり、
前記クラッチ機構は、前記ピニオンギヤを前記ラックに対して接近及び離間可能に構成されていることを特徴とする請求項１から請求項３のいずれか一項に記載の遊技機用可動演出装置。
【請求項５】
前記変位部は、上下方向と交差する所定の回転軸線を中心として回転可能に構成されると共に、前記主駆動源からの駆動力を受けて回転する回転ギヤを有し、
前記ピニオンギヤは、前記回転ギヤと直接的又は間接的に噛み合い且つ当該回転ギヤからの回転力を受けて回転するように構成されており、
前記クラッチ機構は、
所定の駆動力を発生する副駆動源を備え、
該副駆動源の駆動力に応じて、前記ピニオンギヤを前記回転ギヤと噛み合わせつつ、当該回転ギヤの外周に沿って移動させる構成をなし、前記ピニオンギヤを前記ラックと噛み合う位置に配置する伝達状態と、前記ピニオンギヤを前記ラックから離間させる前記非伝達状態とに切り替えることを特徴とする請求項４に記載の遊技機用可動演出装置。
【請求項６】
請求項１から請求項５のいずれか一項に記載の遊技機用可動演出装置を備えたことを特徴とする遊技機。
【発明の詳細な説明】
【技術分野】
【０００１】
本発明は、遊技機用可動演出装置及びそれを備えた遊技機に関するものである。
【背景技術】
【０００２】
パチンコ機などの遊技機では、様々な装飾部品を遊技機内に多数配置することで装飾性や遊技性を高めている。中でも、動力源によって装飾部材（可動体）を変位させる可動演出装置を用いることは、斬新でインパクトの強い演出を行う上で有利であり、例えばこのような可動演出装置を遊技盤面内に配置し、所定の遊技条件の成立時（例えばリーチ状態や大当り状態の発生時）に可動体を変位させるといった演出方法を用いれば、所定遊技条件の成立時に遊技者の期待感をより高揚させることができ、遊技機自体のゲーム性を一層高めることができる。なお、このような可動演出装置としては、例えば下記特許文献１のようなものが提供されている。
【０００３】
この特許文献１では、表示領域を取り囲む前面枠（４６）とは別体に形成され、表示領域（３６）を上方に外れた定常位置と表示領域（３６）上の落下位置との間で往復移動可能に支持される落下部材（５６）（可動演出装置）が開示されている。具体的には、前面枠（４６）の一部に嵌合凹部が形成されており、落下部材（５６）はこの嵌合凹部に嵌まり込んだ状態で定常位置に位置決め支持されるようになっている。そして、落下部材（５６）は、定常位置から落下位置への移動が自由落下によって行なわれ、また、落下位置から定常位置への移動が電動モータ１２４、ピニオン１２８およびラック７２による駆動機構を用いて行われるようになっている。
【先行技術文献】
【特許文献】
【０００４】
【特許文献１】特許第４５３４７６７号公報
【発明の概要】
【発明が解決しようとする課題】
【０００５】
ところで、上記特許文献１のような構成では、可動演出装置は、定常位置と落下位置の２地点間を自由落下と電動モータの駆動とによって単純に往復移動するといった動作であるため、遊技者の興趣が冷めやすく、よりバリエーションに富んだ動作をなし得る構成が望まれている。
【０００６】
本発明は、上記した事情に鑑みてなされたもので、遊技者の興趣を高めることが可能な遊技機用可動演出装置及びそれを備えた遊技機を提供することを課題とする。
【課題を解決するための手段】
【０００７】
本発明の遊技機用可動演出装置は、
相対的に高位置となる定常位置と、前記定常位置のときよりも低位置となる落下位置との間で往復移動可能に支持される可動体と、
所定の駆動力を発生する主駆動源と、
該主駆動源の駆動力を前記可動体へ伝達する伝達機構と、
を備え、
前記伝達機構は、
前記主駆動源の駆動力を受けて動作する１又は複数の部材からなる変位部と、
前記可動体と連動するように構成され、且つ前記変位部が接触しているときに当該変位部からの作用を受ける被作用部と、
前記変位部を前記被作用部に作用させて当該被作用部に対して前記主駆動源からの駆動力を伝達する伝達状態と、前記被作用部に対する前記変位部の作用を解除して当該被作用部に対し前記主駆動源からの駆動力を伝達しない非伝達状態とに切り替え可能なクラッチ機構と、を備え、
前記クラッチ機構が前記伝達状態に切り替えられているときには、前記主駆動源からの駆動力が前記可動体に伝達されて当該可動体が上下に往復移動可能となり、
前記クラッチ機構が前記伝達状態から前記非伝達状態に切り替えられたときには、前記可動体に対する駆動力の伝達が遮断され、当該可動体が前記定常位置と落下位置との間の任意の位置から自重により前記落下位置に向けて落下することを特徴とする。
【０００８】
本発明の遊技機は、上記遊技機用可動演出装置を備えていることを特徴とする。
【発明の効果】
【０００９】
本発明の遊技機用可動演出装置及び遊技機によれば、相対的に高位置となる定常位置と、定常位置のときよりも低位置となる落下位置との間で往復移動可能に支持される可動体を、任意の位置から落下位置に向けて自由落下により移動させることができるほか、主駆動源の駆動力によっても可動体を定常位置と落下位置との間の任意の位置において上下に往復移動（揺動）（いわゆる煽り動作）させることができるので、よりバリエーションに富んだ動きが可能となり、遊技者の興趣を高めることができる。さらに、主駆動源からの駆動力を可動体側へ伝達する伝達状態と、主駆動源からの駆動力を可動体側へ伝達しない非伝達状態とに切り替え可能なクラッチ機構を備えているので、このクラッチ機構の切り替えによって容易に可動体の動作を変更することができる。
【００１０】
また、本発明において、可動体が定常位置にあるときに該可動体を保持可能な保持状態と、該可動体の保持が困難又は不能な解除状態とに変化し得るように構成された保持手段と、保持手段とクラッチ機構とを連動させる連動機構と、を備え、連動機構は、クラッチ機構が伝達状態に切り替えられているときに保持手段を保持状態に変化させ、クラッチ機構が非伝達状態に切り替えられているときに保持手段を解除状態に変化させるように構成されていてもよい。
このように、保持手段を設けることで、可動体が定常位置にあるときには、この位置で安定して保持することができる。また、クラッチ機構が非伝達状態に切り替えられたときには、保持手段による保持状態が解除されるため、可動体の落下動作を確実に行うことができる。さらに、保持手段とクラッチ機構とは、連動機構により連動されており、互いに同期して動作するようになっているので、可動体の移動をよりスムーズに行うことができる。
【００１１】
また、本発明において、連動機構は、保持手段とクラッチ機構とを連結すると共に上下動可能に保持される連結部材を備え、保持手段は、一端部側が連結部材に連結されると共に、他端部側には永久磁石が取り付けられ、これら一端部と他端部との間において上下方向と交差する方向で設定される回動軸線を中心として回動可能となるように構成された揺動部材を有し、可動体には、永久磁石と吸着可能な磁性部材が直接又は他部材を介して間接的に取り付けられており、可動体が定常位置にあって、保持手段が保持状態のときに、当該可動体に取り付けられた磁性部材と揺動部材に取り付けられた永久磁石とが吸着することで可動体が定常位置で保持されるように構成されていてもよい。
このように、可動体が定常位置にあるときには、可動体に取り付けられた磁性部材と揺動部材に取り付けられた永久磁石とが吸着することで、この定常位置でより安定して可動体を保持することができる。また、保持手段が解除状態となると、永久磁石による吸着作用が弱まり、可動体を確実に落下させることができる。
【００１２】
また、本発明において、主駆動源は、回転駆動するモータからなり、変位部は、主駆動源の駆動力を受けて動作するピニオンギヤを有し、被作用部は、変位部を構成するピニオンギヤが接触したときに当該ピニオンギヤと噛み合うラックを有してなり、クラッチ機構は、ピニオンギヤをラックに対して接近及び離間可能に構成されていてもよい。
このように、主駆動源が回転駆動するモータによって構成されているので、このモータの回転方向や回転スピードを変化させることで、よりバリエーションに富んだ動きが可能となる。また、このように、ラックとピニオンギヤの歯車伝達機構を用いることで、可動体の往復移動の動きをより敏速に確実に切り替えることができ、遊技者の興趣をより高めることができる。
【００１３】
また、本発明において、変位部は、上下方向と交差する所定の回転軸線を中心として回転可能に構成されると共に、主駆動源からの駆動力を受けて回転する回転ギヤを有し、ピニオンギヤは、回転ギヤと直接的又は間接的に噛み合い且つ当該回転ギヤからの回転力を受けて回転するように構成されており、クラッチ機構は、所定の駆動力を発生する副駆動源を備え、この副駆動源の駆動力に応じて、ピニオンギヤを回転ギヤと噛み合わせつつ、当該回転ギヤの外周に沿って移動させる構成をなし、ピニオンギヤをラックと噛み合う位置に配置する伝達状態と、ピニオンギヤをラックから離間させる非伝達状態とに切り替えるように構成されていてもよい。
このように、副駆動源の駆動力に応じてピニオンギヤを回転ギヤと噛み合わせつつ当該回転ギヤの外周に沿って移動させることで、当該ピニオンギヤをラックと噛み合う位置及びラックから離間させる位置とでよりスムーズに移動させることができ、クラッチ機構における伝達状態と非伝達状態との切り替えをより確実に行うことができる。
【図面の簡単な説明】
【００１４】
【図１】図１は、本発明の第１実施形態に係る遊技機用可動演出装置を備えた遊技機を例示する正面図であり、可動体が定常位置で保持されている様子を示す図である。
【図２】図２は、図１の遊技機において遊技機用可動演出装置を動作させた状態を例示する正面図であり、可動体が落下位置に移動した様子を示す図である。
【図３】図３は、第１実施形態に係る遊技機用可動演出装置を概略的に例示する斜視図である。
【図４】図４は、図３の遊技機用可動演出装置を図３とは異なる角度から見た斜視図である。
【図５】図５は、図３の遊技機用可動演出装置を概略的に例示する正面図である。
【図６】図６は、図３の遊技機用可動演出装置を概略的に例示する背面図である。
【図７】図７は、図３の遊技機用可動演出装置の分解斜視図である。
【図８】図８は、図３の遊技機用可動演出装置について、図７とは異なる方向から見た分解斜視図である。
【図９】図９は、遊技機用可動演出装置において第２ケースを取り外した状態を示す背面図であり、可動体が定常位置で保持されている様子を示す図である。
【図１０】図１０は、図９に対応し、可動体が中間位置に位置している様子を示す図である。
【図１１】図１１は、図９に対応し、可動体が落下位置に移動した状態であって、クラッチ機構が伝達状態に切り替えられた様子を示す図である。
【図１２】図１２は、可動体が落下位置に移動した様子を示す正面図である。
【図１３】図１３は、図９に対応し、可動体が定常位置に位置しており、保持手段が解除状態のときの様子を示す図である。
【図１４】図１４は、可動体が落下位置に位置しており、保持手段が解除状態のときの様子を示す図である。
【発明を実施するための形態】
【００１５】
[第１実施形態]
以下、本発明に係る遊技機用可動演出装置及びそれを備えた遊技機を具現化した第１実施形態について、図面を参照して説明する。なお、図１及び図２は、第１実施形態に係る遊技機用可動演出装置を備えた遊技機を例示する正面図であり、まず、図１及び図２を参照して遊技機１の構成を概説する。
【００１６】
（遊技機の構成）
図１に示す遊技機１は、いわゆるパチンコ機として構成されており、遊技者側に配される前面枠２に形成された窓部４に透明板（ガラス板等）が配置され、遊技者が、透明板を介して後方の遊技領域５ａを視認できるように構成されている。また、透明板の後方（奥側）には、遊技盤５が配置され、この遊技盤５の盤面５ｂ上にガイドレール３等によって区画された遊技領域（遊技球が流下可能な領域）５ａが形成されている。遊技領域５ａの中央には、遊技盤５上での遊技状態の変化に応じた演出表示を行う液晶表示装置１１が配置されている。そして、液晶表示装置１１の下方（遊技領域５ａの中央下部）に大入賞口６（アタッカー）が配置されており、液晶表示装置１１と大入賞口６との間には、電動チューリップ（電チュー）にて構成される始動口７が配置されている。また、遊技盤５には、液晶表示装置１１を取り囲むようにセンター役物１３が配置され、そのセンター役物１３に遊技機用可動演出装置２０（以下、「可動演出装置２０」ともいう）が設けられている。この可動演出装置２０は、図３に示すように、盤裏カバー（図示せず）に固定配置される装置本体３０と、この装置本体３０によって支持される可動体７０を備えており、液晶表示装置１１の上側の定常位置（図１）と液晶表示装置１１の前側の落下位置（図２）との間で可動体７０を往復移動可能に構成されている。また、前面枠２において透明板の下方側には、遊技球を受ける遊技球受皿９や遊技球を発射する発射ハンドル８などが設けられている。
【００１７】
なお、本明細書において、「前後方向」とは、遊技盤５の盤面５ｂと直交する方向を意味し、盤面５ｂに対し、遊技者が位置する側を前方側、それとは反対側（即ち、遊技機１奥側）を後方側とする。また、「上下方向」とは、遊技領域５ａを遊技球が流下する方向（鉛直方向）を意味し、「左右方向」とは、上記「前後方向」及び「上下方向」と直交する方向を意味する。
【００１８】
（遊技機用可動演出装置の構成）
次に、第１実施形態に係る可動演出装置２０について詳述する。
図３及び図４に示すように、可動演出装置２０は、液晶表示装置１１の前側で上下方向に移動する可動体７０と、可動体７０を支持する装置本体３０とを備えて構成されている。
【００１９】
可動体７０は、図１〜３等に示すように、両端が切り落とされたラグビーボール形状をなす装飾部７１ａを備え、その装飾部７１ａの前方側（周壁の所定箇所）には、円形状の窓部７１ｂが形成されている。この装飾部７１ａの形状は、遊技盤５の前面側に配置できる形状であれば、特にラグビーボール形状に限定されず、例えば、球形状や立方形状などの形状であってもよい。そして、その窓部７１ｂ内にＬＥＤなどの発光部材等（図示略）が配置されており、遊技状態に応じた演出を行うことが可能となっている。また、可動体７０は、装飾部７１ａの基端部７０ａから左右方向へ延出する棒状又は筒状の延出部７０ｂを備えており、その延出部７０ｂの装飾部７１ａとは反対側に支持台７３が設けられている。そして、可動体７０は、この支持台７３が装置本体３０の可動体取付部材７２ａ、７２ｂ（後述）に固定された状態で、上下方向にスライド移動可能にケース２２（後述）に支持されており、定常位置と落下位置との間で往復移動できるようになっている。なお、可動体７０の動作については、後で詳しく述べる。
【００２０】
装置本体３０は、可動体７０を遊技盤５の盤面５ｂに沿って定常位置と落下位置との間で往復移動させる機能を備えており、図示しない制御回路（ＣＰＵやメモリ等を備えてなる電子回路）によって電気的に制御されるようになっている。また、装置本体３０は、後述する各種部品を収容するケース２２を備えている。
【００２１】
具体的に、装置本体３０は、図３、図７〜９等に示すように、所定の駆動力を発生する主駆動源として回転駆動する駆動軸３２ａ（図８等）を備えた第１モータ３２と、第１モータ３２の駆動力を可動体７０へ伝達する伝達機構１００とを備えている。この伝達機構１００は、複数のギヤ部材からなる変位部１１０と、可動体７０と連動するように構成され、かつ変位部１１０が接触しているときに変位部１１０からの作用を受ける被作用部としてのラック４０とを備えている。なお、変位部１１０は１つのギヤ部材で構成してもよいし、ギヤ部材に限らずベルトやリンク機構などによって第１モータ３２の駆動力を伝達するものを適宜使用することができる。そして、可動体７０は、ラック４０（被作用部）と連動するように構成されており、変位部１１０からの作用をラック４０（被作用部）が受けると連動して動作するようになっている。
【００２２】
変位部１１０は、第１モータ３２の駆動力を受けて動作するピニオンギヤ３６と、上下方向と交差する所定の回転軸線（すなわち、前後方向の回転軸線）を中心として回転可能に構成されると共に、第１モータ３２からの駆動力を受けて回転する回転ギヤ３４とを有している。そして、ピニオンギヤ３６は、回転ギヤ３４と噛み合い且つ当該回転ギヤ３４からの回転力を受けて回転するように構成されている。また、ラック４０は、変位部１１０を構成するピニオンギヤ３６が接触したときに当該ピニオンギヤ３６と噛み合うようになっている。
【００２３】
ここで、第１モータ３２は、公知のステッピングモータなどによって構成されるものであり、図３に示すように、ケース２２に外側から固定されている。より具体的に、第１モータ３２は、モータ取付板９０ａに保持される形態で、このモータ取付板９０ａがねじ等の締結部材（図示略）によってケース２２に組み付けられることで、ケース２２に固定されるようになっている。また、第１モータ３２の各駆動軸３２ａは、ケース２２に形成された取付孔２５ａから該ケース２２内に突出するように配置されている。第１モータ３２は、図示しない制御回路からの制御信号を受けて駆動軸３２ａを回転させるように構成されており、回転速度や回転角度は上記制御回路によって制御されるようになっている。また、駆動軸３２ａにはモータギヤ３２ｂが連結されており、このモータギヤ３２ｂに回転ギヤ３４が噛合するようになっている。
【００２４】
伝達機構の説明に戻り、回転ギヤ３４及びピニオンギヤ３６は、図７〜９等に示すように、ケース２２に対して軸支されている。回転ギヤ３４は、モータギヤ３２ｂと噛合するようにケース２２に固定されており、第１モータ３２が駆動されてモータギヤ３２ｂが回転すると、回転ギヤ３４も回転するようになっている。また、ピニオンギヤ３６は、後述するクラッチ機構が機能するために、回転ギヤ３４の回りに所定回転角度範囲（例えば、０°から５０°の範囲）において公転移動可能にケース２２に設けられるガイド孔２５ｄ、２５ｅによって支持されており、ラック４０に対して接離可能となっている。この所定回転角度範囲は、ラック４０の長さ（すなわち、可動体７０の上下方向の移動範囲）に応じて、適宜変更可能となっている。
【００２５】
これら回転ギヤ３４及びピニオンギヤ３６の外径は、略同一であってもよく、回転ギヤ３４のほうがピニオンギヤ３６よりも大きく構成されていてもよい。なお、図７及び図８等では、回転ギヤ３４及びピニオンギヤ３６の外径が略同一の大きさで構成されている例を示している。
【００２６】
ラック４０は、細長形状に構成されており、その長手方向の一側面に、ピニオンギヤ３６と噛合可能な噛合部４２が設けられている。このラック４０の長手方向一方側には、図３等に示すように、可動体７０が固定された可動体取付部材７２ａ、７２ｂが、ねじ等（図示略）によって取り付けられている。また、図７、８に示すように、ラック４０は、可動体取付部材７２ａ、７２ｂとの間にガイド棒７４を挟んで、ケース２２に対してスライド移動可能に支持されている。そして、ラック４０がピニオンギヤ３６と噛合し、第１モータ３２の駆動力を受けることによりケース２２に対してスライド移動することで、可動体７０が定常位置と落下位置との間で移動するようになっている。さらに、ラック４０の上端部には、後述する保持手段としての磁性部材６２が設けられており、後述する揺動部材６０に設けられる永久磁石６４に吸着可能となっている。この磁性部材６２は、例えば、鉄、ニッケル、コバルト等の磁性材料を含む金属片より構成されている。
【００２７】
ケース２２は、図３、４等に示すように、ケース全体として薄い厚さの箱状形態をなしている。このケース２２は、長板形状に構成される第１ケース体２２ａ及び第２ケース体２２ｂが前後方向に合掌態様で重ね合わされて互いにねじ等の締結部材（図示略）によって組み付けられ、遊技盤５の盤面５ｂに沿って略平行に配置されるようになっている。そして、第１ケース体２２ａ及び第２ケース体２２ｂには、前後方向に対向して伝達機構の回転ギヤ３４やその他各部材が内部又は外部にそれぞれ組付けられる第１壁部２３及び第２壁部２６が設けられている。第１ケース体２２ａ及び第２ケース体２２ｂは、いずれも樹脂材料などによって構成されており、図７、８に示すように、いずれも全体として平坦状に構成されている。
【００２８】
第１ケース体２２ａは、底板若しくは天井板として構成される第１壁部２３と、この第１壁部２３の周縁部から当該第１壁部２３の板面と直交する方向に沿ってそれぞれ立ち上がる左側壁部２３ａ、右側壁部２３ｂ、上側壁部２３ｃ、下側壁部２３ｄをそれぞれ備えている。そして、第１壁部２３には、図７、８等に示すように、当該ケース２２の長手方向に沿って長孔形状のガイド溝２５ｃが右側壁部２３ｂ寄りの位置に設けられている。また、第１壁部２３の外壁面２４には、図３、５等に示すように、ガイド溝２５ｃを外側から覆うように、ガイド棒７４が固定部材７５ａ、７５ｂ及びねじ等（図示略）によって固定されており、可動体７０がこのガイド棒７４に対してスライド移動するように、当該外壁面２４側に支持されている。さらに、第１壁部２３には、下側壁部２３ｄ寄りの位置にモータ取付孔２５ａが形成されており、このモータ取付孔２５ａを外側から覆うように、第１モータ３２が外壁面２４側から取り付けられている。また、モータ取付孔２５ａの上方側であって当該第１壁部２３の略中央付近にモータ取付孔２５ｂが形成されており、このモータ取付孔２５ｂを外側から覆うように、第２モータ５０（後述）が外壁面２４側から取り付けられている。そして、第１壁部２３には、モータ取付孔２５ａとモータ取付孔２５ｂとの間の位置に、左右方向に延びる長円形状のガイド孔２５ｅが形成されており、後述のガイド孔２５ｄとともに、ピニオンギヤ３６が回転ギヤ３４の外周（公転軌道上）を移動するようにガイドするようになっている。具体的には、ピニオンギヤ３６の中心軸と固定される軸部材３９ａが、軸受部材３９ｂを介して、ガイド孔２５ｄ、２５ｅに挿通支持されている。
【００２９】
第２ケース体２２ｂは、底板若しくは天井板として構成される第２壁部２６と、この第２壁部２６の周縁部から当該第２壁部２６の板面と直交する方向に沿ってそれぞれ立ち上がる左側壁部２６ａ、右側壁部２６ｂ、上側壁部２６ｃ、下側壁部２６ｄをそれぞれ備えている。そして、第２壁部２６には、図７、８等に示すように、ガイド孔２５ｅと対応する位置に、左右方向に延びる長円形状のガイド孔２５ｄが形成されており、上述したように、ピニオンギヤ３６の軸部材３９ａが外壁面２７側からガイド孔２５ｄ、２５ｅに挿通されて支持されるようになっている。
【００３０】
また、図９〜１１、１３、１４等に示すように、連結部材８０（後述）が上下方向に移動可能に、左側壁部２３ａ、２６ａ寄りの位置でケース２２に支持されているとともに、揺動部材６０が前後方向で設定される回動軸線（支点Ｐ）を中心として回動可能となるように、上側壁部２３ｃ、２６ｃ寄りの位置でケース２２に支持されている。
【００３１】
さらに、伝達機構１００は、変位部１１０をラック４０に作用させて当該ラック４０に対して第１モータ３２からの駆動力を伝達する伝達状態と、ラック４０に対する変位部１１０の作用を解除して当該ラック４０に対し第１モータ３２からの駆動力を伝達しない非伝達状態とに切り替え可能なクラッチ機構１３０を備えている。このクラッチ機構１３０は、回転駆動する駆動軸５０ａを備えた第２モータ５０と、この第２モータ５０の駆動力を伝達機構１００側へ伝達しピニオンギヤ３６を回転ギヤ３４の外周に沿って移動させるＬ字状部材３８（後述）及び連結部材８０（後述）を備えている。
【００３２】
第２モータ５０は、第１モータ３２と同様に、公知のステッピングモータなどによって構成されている。そして、第２モータ５０は、モータ取付板９０ｂに保持される形態で、図３に示すように、ケース２２の長手方向略中央位置に、モータ取付板９０ｂがねじ等の締結部材（図示略）によってケース２２に組み付けられることで、第１ケース体２２ａの外壁面２４側から固定されている。また、第２モータ５０の駆動軸５０ａは、取付孔２５ｂからケース２２内に突出するように配置されている。そして、第２モータ５０は、図示しない制御回路からの制御信号を受けて駆動軸５０ａを回転させるように構成されており、回転速度や回転角度は上記制御回路によって制御されるようになっている。さらに、駆動軸５０ａには、図７、８に示すように、円盤状の回転板５２が連結されている。この回転板５２には、一方面側の略中心位置に円筒部５２ａが設けられており（図７参照）、駆動軸５０ａが挿通固定されるようになっている。また、回転板５２の他方面側の中心からずれた位置には駆動軸に平行に突出するピン状（棒状）の被駆動部５２ｂが設けられている。この被駆動部５２ｂは、第２モータ５０の駆動力に応じて、ガイド溝８２（後述）を介して連結部材８０を、上方位置（図９〜図１１等）と下方位置（図１３、１４等）との間で上下動させるようになっている。また、この連結部材８０の上下動の動きに応じて、ラック４０に対してピニオンギヤ３６を接離可能となっている。なお、第２モータ５０は、「副駆動源」の一例に相当する。
【００３３】
Ｌ字状部材３８は、図７〜９等に示すように、一方の先端部３８ｂと他方の先端部３８ｃとの間に屈曲部３８ａが設けられており、Ｌ字形状をなしている。このＬ字状部材３８は、一方の先端部３８ｂがピニオンギヤ３６と固定され、他方の先端部３８ｃが連結部材８０の他端部８０ｂと固定されている。また、Ｌ字状部材３８は、回転ギヤ３４及びピニオンギヤ３６の各中心軸を連結している。屈曲部３８ａは、上述したように、ケース２２に対して回動可能に軸支されている。さらに、Ｌ字状部材３８は、ピニオンギヤ３６が連結された一方側の方が、連結部材８０が連結された他方側よりも長く形成されている。また、Ｌ字状部材３８は、図９〜１１、１３、１４等に示すように、連結部材８０とラック４０との間に、これら連結部材８０及びラック４０と平行するように配置されている。そして、第１モータ３２と第２モータ５０との間にピニオンギヤ３６が位置するようにそれぞれ配置されている。このように配置することで、伝達機構１００及びクラッチ機構１３０が無駄なくケース２２内に収容配置され、コンパクト化に寄与している。
【００３４】
そして、Ｌ字状部材３８は、図９〜１１、図１３、１４等に示すように、連結部材８０を介して被駆動部５２ｂの動きと連動して変位するようになっている。具体的に、Ｌ字状部材３８が屈曲部３８ａを中心として回動することにより、先端部３８ｂに固定されているピニオンギヤ３６が、ラック４０の噛合部４２と噛合可能な位置（図９〜１１等参照）と、ラック４０の噛合部４２から離脱する位置（図１３、１４等参照）との間で回転ギヤ３４の外周に沿って移動するようになっている。
【００３５】
連結部材８０は、図７〜９等に示すように、細長形状に構成されており、一端部８０ａが揺動部材６０（詳細は後述）と固定されるとともに、他端部８０ｂがＬ字状部材３８の先端部３８ｃと固定されている。また、連結部材８０の中間部８０ｃは、クランク状に屈曲されている。連結部材８０をこのような形状にすることにより、無駄なくケース２２内に収容配置することができ、よりコンパクト化を図ることができる。さらに、この中間部８０ｃには、他端部８０ｂ寄りに、回転板５２の被駆動部５２ｂを支持するガイド溝８２が設けられている。このガイド溝８２は、連結部材８０の短手方向（長手方向と直交する方向）に延びるように形成されている。そして、第２モータ５０の駆動力が被駆動部５２ｂを介して連結部材８０に伝達されることで、連結部材８０が上下方向に移動するようになっている。
【００３６】
また、装置本体３０は、可動体７０が定常位置にあるときに該可動体７０を保持可能な保持状態と、該可動体の保持が困難又は不能な解除状態とに変化し得るように構成された保持手段１６０を備えている。この保持手段１６０は、図９〜１１、図１３、１４等に示すように、細長形状に構成され、装置本体３０の上部に配置されると共に、前後方向で設定される回動軸線を中心として回動可能となるように構成される揺動部材６０と、揺動部材６０に設けられる永久磁石６４と、ラック４０に設けられる磁性部材６２とを有している。具体的にこの揺動部材６０は、一端部側が後述する連結部材８０に固定され、他端部側に永久磁石６４が配置されて留め具６５により固定されており、長手方向の略中央位置を支点Ｐとして回動可能にケース２２に対して軸支されている。また、揺動部材６０は、一端部側に連結された連結部材８０の上下方向の動きに連動して回動するようになっており、ラック４０の上端部に設けられる磁性部材６２と吸着可能となっている。そして、モータのディテントトルクによって、ラック４０を介して可動体７０が定常位置に保持されているときに（図９等）、この保持手段１６０によっても補助的に可動体７０を定常位置で保持するようにしている。
【００３７】
さらに、装置本体３０は、保持手段１６０とクラッチ機構１３０とを連動させる連動機構１４０を備えている。この連動機構１４０は、保持手段１６０とクラッチ機構１３０とを連結すると共に上下動可能に保持される上述の連結部材８０を有している。そして、連結部材８０は、クラッチ機構１３０が伝達状態に切り替えられているときに保持手段１６０を保持状態に変化させるようになっている。具体的に、第２モータ５０が駆動されると、第２モータ５０に設けられる被駆動部５２ｂが連結部材８０に設けられるガイド溝８２内を移動することで（例えば、図９等において、被駆動部５２ｂがガイド溝８２内を右から左へ移動し）、連結部材８０が上方へ移動するとともに揺動部材６０が支点Ｐを中心に回動し、揺動部材６０に取り付けられた永久磁石６４がラック４０に取り付けられた磁性部材６２に対して吸着することで、保持手段１６０が保持状態となる（図９等参照）。また、連結部材８０は、クラッチ機構１３０が非伝達状態に切り替えられているときに保持手段１６０を解除状態に変化させるようになっており、第２モータ５０が駆動され、第２モータ５０に設けられる被駆動部５２ｂが連結部材８０に設けられるガイド溝８２内を移動することで（例えば、図１３等において、被駆動部５２ｂがガイド溝８２内を左から右へ移動することで）、連結部材８０が下方側へ移動して永久磁石６４が磁性部材６２から離れることで、可動体７０の保持状態が解除されるようになっている（図１３、１４等参照）。
【００３８】
次に、可動体７０の取り付け構造について説明する。
可動体７０は、図１〜３等に示すように、支持台７３が可動体取付部材７２ａ、７２ｂに対して、ねじ等（図示略）によって取り付けられている。この可動体取付部材７２ａ、７２ｂは、図３、５、７、８等に示すように、互いに組み付けられた状態で箱状形態をなしており、棒状部材よりなるガイド棒７４が、当該可動体取付部材７２ａ、７２ｂ間に挿通されて配置されるようになっている。そして、可動体７０は、上述したようにラック４０に固定されており、ラック４０が上下方向にスライドすることで、可動体７０もこのガイド棒７４に対してスライド移動するように構成されている。
【００３９】
ガイド棒７４は、固定部材７５ａ、７５ｂ及びねじ等（図示略）によってケース２２の外面（第１壁部２３の外壁面）に固定されている。そして、コイル状に形成されたばね部材７６及びフランジが周囲に形成されてなる環状のばね押圧部材７７が挿通されている（なお、図３、７、８等では、ばね部材を省略して示している。）。また、ケース２２の外面であって、ガイド棒７４の下方側には、発泡樹脂やゴム部材などから構成される緩衝部材７８ａ、７８ｂが設けられている。そして、これらばね部材７６及び緩衝部材７８ａ、７８ｂによって、可動体７０の落下に伴う衝撃を和らげるように構成されている。
【００４０】
（可動演出装置の動作）
次に、上述のように構成される可動演出装置２０の動作について説明する。
本実施形態に係る可動演出装置２０は、所定の遊技条件の成立時（例えばリーチ状態や大当り状態の発生時）などに応じて可動体７０を動作させるようになっており、液晶表示装置１１に表示される遊技状態の変化と連動させて演出を行うことができるようになっている。そして、可動演出装置２０は、上述したように可動体７０がラック４０と一体的に設けられており、可動体７０は、ラック４０の上下方向への移動と共に、定常位置と落下位置との間で往復移動可能となっている。なお、定常位置とは、可動体７０が上端部まで上昇した位置であり、図３〜図６、図９、図１３等に示す位置である。また、落下位置とは、可動体７０が下端部まで下降（落下）した位置であり、図１１、図１２、図１４等に示す位置である。
【００４１】
そして、可動演出装置２０は、可動体７０を、上方側の位置から落下位置へ自重による落下により移動させる動作（この動作を「自由落下動作」とする）と、第１モータ３２の回転と同期して往復移動させる動作（この動作を「復動動作」とする）を行うことが可能となっている。具体的に、可動演出装置２０は、保持手段１６０が解除状態となり、ピニオンギヤ３６がラック４０の噛合部４２から離脱している非伝達状態のときに可動体７０を自由落下させることができ、ピニオンギヤ３６とラック４０の噛合部４２が噛合している伝達状態のときに、可動体７０を往復移動させることができるようになっている。
【００４２】
まず、自由落下動作について説明する。
自由落下動作では、図５、図９に示すように、可動体７０が定常位置にあって、ラック４０に取り付けられた磁性部材６２と揺動部材６０に取り付けられた永久磁石６４とが吸着しているとき（すなわち、保持手段が保持状態のとき）に、第２モータ５０が駆動して、図９において回転板５２が時計回りに回転すると、この回転板５２の回転によって被駆動部５２ｂがガイド溝８２を押し下げる形でガイド溝８２内を左から右に移動しつつ、連結部材８０を上から下に移動させる。そして、連結部材８０が上から下へ移動することで、Ｌ字状部材３８が図９において時計回りに回動し、ピニオンギヤ３６も回転ギヤ３４の外周上を図９において時計回りに回動してラック４０の噛合部４２から離脱し（図１３）、クラッチ機構１３０が伝達状態から非伝達状態に切り替わり、ラック４０への第２モータ５０の駆動力の伝達が遮断されることとなる。また、このとき、連結部材８０の一端部８０ａに固定されている揺動部材６０が支点Ｐを中心に図９において時計回りに回動することで磁性部材６２が永久磁石６４から外れ、揺動部材６０がラック４０から離脱する（保持手段１６０が解除状態となる）。
【００４３】
そして、このようにクラッチ機構１３０が非伝達状態となり、保持手段１６０が解除状態となると、可動体７０は、定常位置（図１３）から、落下位置へ自重により落下する（図１４）。なお、図１２は、可動体７０が落下位置へ移動した様子を正面側から見た図であり、可動体７０が落下位置へ落下したときに、可動体取付部材７２ａ、７２ｂが緩衝部材７８ａ、７８ｂに受け止められるとともに、ばね部材７６が圧縮変形されることで、この落下の衝撃が緩衝されるようになっている。例えば、リーチ状態から大当たりになる場合など、可動体７０を定常位置から突如落下させることにより、遊技者に対し驚きを与えるといった演出が可能となる。
【００４４】
また、本実施形態の可動演出装置２０では、定常位置に限らず、任意の位置から落下位置へ可動体７０を落下させることができるようになっている。例えば、可動体７０が図１０に示す中間位置に位置している状態でピニオンギヤ３６を噛合部４２から離脱させることで（クラッチ機構１３０を非伝達状態に切り替えることで）、この中間位置からも可動体７０を自重によって落下させることができ、より多彩な演出が可能となる。
【００４５】
次に、復動動作について説明する。
上述のように所定のリーチアクション（演出可動）などによって可動体７０が落下位置へ落下した後には、復動動作により可動体７０を定常位置に戻し、次のリーチアクションに備えることとなる。すなわち、可動体７０が落下位置へ落下により移動した状態で、第２モータ５０が駆動されて図１４において反時計回りに駆動軸５０ａが回転すると（この方向を逆回転とする）、ピニオンギヤ３６が噛合部４２と噛合し、クラッチ機構が伝達状態に切り替わる（図１１）。そして、第１モータ３２が駆動されてモータギヤ３２ｂが図１１において時計回り（この方向を正回転とする）に回転すると、回転ギヤ３４が反時計回りに回転すると共に、この回転ギヤ３４に噛合しているピニオンギヤ３６が時計回りに回転することで、ラック４０と共に可動体７０が落下位置から上方側へ移動し（図１０）、さらに定常位置まで移動する（図９）。また、このクラッチ機構の切り替わりに対応して、連動機構１４０によって揺動部材６０が変位し、永久磁石６４が磁性部材６２との吸着位置に配置されるようになるため、可動体７０が定常位置に戻ったときに、可動体７０側に設けられる磁性部材６２がそのまま永久磁石６４に吸着して安定して保持されることとなる。
【００４６】
また、本実施形態の可動演出装置２０では、第１モータ３２の回転方向を、図示しない制御回路からの制御信号によって切り替えることで、可動体７０の移動方向を切り替え可能となっている。例えば、図９に示すように可動体７０が定常位置にある状態で、第１モータ３２の駆動軸３２ａを逆回転させモータギヤ３２ｂを反時計回りに回転させると、回転ギヤ３４が時計回りに回転すると共に、この回転ギヤ３４に噛合しているピニオンギヤ３６が反時計回りに回転する。そして、このピニオンギヤ３６の回転がラック４０に伝達されると、ラック４０は、揺動部材６０の永久磁石６４の磁気吸引力に抗して下方側へ移動し、可動体７０もラック４０と共に落下位置へと移動する。このように、第１モータ３２の回転と同期させて可動体７０を落下位置へと移動させることもできるので、遊技状態等に応じて可動体７０の移動スピードを変化させることでバリエーションにより富んだ動きが可能となる。
【００４７】
さらに、例えば図１０に示す中間位置（すなわち、定常位置と落下位置との間の任意の位置）において、第１モータ３２の回転方向の切り替えを繰り返し行うことで、点線に示す位置との間で可動体７０を上下に揺動動作（いわゆる煽り動作）させることができる。この可動体７０の揺動動作は、定常位置から落下位置への移動時及び落下位置から定常位置への移動時のいずれの場合にも行うことができるようになっている。また、例えば、可動体７０を、定常位置から中間位置まで移動させて揺動動作させた後、落下位置へ移動させずに定常位置へ戻すように移動させることもできるようになっている。
【００４８】
（第１実施形態の主な効果）
本発明の遊技機用可動演出装置２０及び遊技機１によれば、相対的に高位置となる定常位置と、定常位置のときよりも低位置となる落下位置との間で往復移動可能に支持される可動体７０を、任意の位置から落下位置に向けて自由落下により移動させることができるほか、第１モータ３２（主駆動源）の駆動力によっても可動体７０を定常位置と落下位置との間の任意の位置において上下に往復移動（揺動）（いわゆる煽り動作）させることができるので、よりバリエーションに富んだ動きが可能となり、遊技者の興趣を高めることができる。さらに、第１モータ３２からの駆動力を可動体７０側へ伝達する伝達状態と、第１モータ３２からの駆動力を可動体７０側へ伝達しない非伝達状態とに切り替え可能なクラッチ機構１３０を備えているので、このクラッチ機構１３０の切り替えによって容易に可動体７０の動作を変更することができる。
【００４９】
また、本発明において、可動体７０が定常位置にあるときに該可動体７０を保持可能な保持状態と、該可動体７０の保持が困難又は不能な解除状態とに変化し得るように構成された保持手段１６０と、保持手段１６０とクラッチ機構１３０とを連動させる連動機構１４０と、を備え、連動機構１４０は、クラッチ機構１３０が伝達状態に切り替えられているときに保持手段１６０を保持状態に変化させ、クラッチ機構１３０が非伝達状態に切り替えられているときに保持手段１６０を解除状態に変化させるように構成されていてもよい。
このように、保持手段１６０を設けることで、可動体７０が定常位置にあるときには、この位置で安定して保持することができる。また、クラッチ機構１３０が非伝達状態に切り替えられたときには、保持手段１６０による保持状態が解除されるため、可動体７０の落下動作を確実に行うことができる。さらに、保持手段１６０とクラッチ機構１３０とは、連動機構１４０により連動されており、互いに同期して動作するようになっているので、可動体７０の移動をよりスムーズに行うことができる。
【００５０】
また、本発明において、連動機構１４０は、保持手段１６０とクラッチ機構１３０とを連結すると共に上下動可能に保持される連結部材８０を備え、保持手段１６０は、一端部側が連結部材８０に連結されると共に、他端部側には永久磁石６４が取り付けられ、これら一端部と他端部との間において上下方向と交差する方向で設定される回動軸線を中心として回動可能となるように構成された揺動部材６０を有し、可動体７０には、永久磁石６４と吸着可能な磁性部材６２がラック４０を介して間接的に取り付けられており、可動体７０が定常位置にあって、保持手段１６０が保持状態のときに、当該可動体７０に取り付けられた磁性部材６２と揺動部材６０に取り付けられた永久磁石６４とが吸着することで可動体７０が定常位置で保持されるように構成されていてもよい。
このように、可動体７０が定常位置にあるときには、可動体７０に取り付けられた磁性部材６２と揺動部材６０に取り付けられた永久磁石６４とが吸着することで、この定常位置でより安定して可動体７０を保持することができる。また、保持手段１６０が解除状態となると、永久磁石６４による吸着作用が弱まり、可動体７０を確実に落下させることができる。
【００５１】
また、本発明において、主駆動源は、回転駆動する第１モータ３２からなり、変位部１１０は、第１モータ３２の駆動力を受けて動作するピニオンギヤ３６を有し、被作用部は、変位部１１０を構成するピニオンギヤ３６が接触したときに当該ピニオンギヤ３６と噛み合うラック４０を有して構成され、クラッチ機構１３０は、ピニオンギヤ３６をラック４０に対して接近及び離間可能に構成されていてもよい。
このように、主駆動源が回転駆動する第１モータ３２によって構成されているので、第１モータ３２の回転方向や回転スピードを変化させることで、よりバリエーションに富んだ動きが可能となる。また、このように、ラック４０とピニオンギヤ３６の歯車伝達機構を用いることで、可動体７０の往復移動の動きをより敏速に確実に切り替えることができ、遊技者の興趣をより高めることができる。
【００５２】
また、本発明において、変位部１１０は、上下方向と交差する所定の回転軸線を中心として回転可能に構成されると共に、第１モータ３２からの駆動力を受けて回転する回転ギヤ３４を有し、ピニオンギヤ３６は、回転ギヤ３４と噛み合い且つ当該回転ギヤ３４からの回転力を受けて回転するように構成されており、クラッチ機構１３０は、所定の駆動力を発生する副駆動源として第２モータ５０を備え、第２モータ５０の駆動力に応じて、ピニオンギヤ３６を回転ギヤ３４と噛み合わせつつ、当該回転ギヤ３４の外周に沿って移動させる構成をなし、ピニオンギヤ３６をラック４０と噛み合う位置に配置する伝達状態と、ピニオンギヤ３６をラック４０から離間させる非伝達状態とに切り替えるように構成されていてもよい。
このように、第２モータ５０の駆動力に応じてピニオンギヤ３６を回転ギヤ３４と噛み合わせつつ当該回転ギヤ３４の外周に沿って移動させることで、当該ピニオンギヤ３６をラック４０と噛み合う位置及びラック４０から離間させる位置とでよりスムーズに移動させることができ、クラッチ機構１３０における伝達状態と非伝達状態との切り替えをより確実に行うことができる。
【００５３】
［他の実施形態]
本発明は上記記述及び図面によって説明した実施形態に限定されるものではなく、例えば次のような実施形態も本発明の技術的範囲に含まれる。
【００５４】
上記実施形態では、保持手段１６０の構成として永久磁石６４と磁性部材６２の吸着による機構を採用したが、保持手段１６０はこの構成に限らず、例えば、係止爪と係合部などの構造などによっても構成することができる。
【００５５】
上記実施形態では、モータギヤ３２ｂと回転ギヤ３４とが別体で構成された例を示したが、モータギヤ３２ｂと回転ギヤ３４とは一体的に（すなわち同一部材で）構成されていてもよい。
【００５６】
上記実施形態では、可動体７０には、永久磁石６４と吸着可能な磁性部材６２がラック４０を介して間接的に取り付けられた構成を例示したが、磁性部材６２は可動体７０に対して直接取り付けられていてもよい。
【符号の説明】
【００５７】
１…遊技機
２…前面枠
３…ガイドレール
４…窓部
５……遊技盤
５ａ…遊技領域
５ｂ…盤面
６…大入賞口
７…始動口
８…発射ハンドル
９…遊技球受皿
１１…液晶表示装置
１３…センター役物
２０…遊技機用可動演出装置
２２…ケース
２２ａ…第１ケース体
２２ｂ…第２ケース体
２３…第１壁部
２３ａ…左側壁部
２３ｂ…右側壁部
２３ｃ…上側壁部
２３ｄ…下側壁部
２４…外壁面
２５ａ、２５ｂ…モータ取付孔
２５ｃ…ガイド溝
２５ｄ、２５ｅ…ガイド孔
２６…第２壁部
２６ａ…左側壁部
２６ｂ…右側壁部
２６ｃ…上側壁部
２６ｄ…下側壁部
２７…外壁面
３０…装置本体
３２…第１モータ（主駆動源）
３２ａ…駆動軸
３２ｂ…モータギヤ
３４…回転ギヤ（伝達機構、変位部）
３６…ピニオンギヤ（伝達機構、変位部）
３８…Ｌ字状部材（クラッチ機構）
３８ａ…屈曲部
３８ｂ…一方の先端部
３８ｃ…他方の先端部
３９ａ…軸部材
３９ｂ…軸受部材
４０…ラック（伝達機構、被作用部）
４２…噛合部
５０…第２モータ（副駆動源、クラッチ機構）
５０ａ…駆動軸
５２…回転板
５２ａ…円筒部
５２ｂ…被駆動部（クラッチ機構）
６０…揺動部材（保持手段）
６２…磁性部材（保持手段）
６４…永久磁石（保持手段）
６５…留め具
７０…可動体
７０ａ…基端部
７０ｂ…延出部
７１ａ…装飾部
７１ｂ…窓部
７２ａ、７２ｂ…可動体取付部材
７３…支持台
７４…ガイド棒
７５ａ、７５ｂ…固定部材
７６…ばね部材
７７…ばね押圧部材
７８ａ、７８ｂ…緩衝部材
８０…連結部材（連動機構）
８０ａ…一端部
８０ｂ…他端部
８０ｃ…中間部
８２…ガイド溝
９０ａ、９０ｂ…モータ取付板
１００…伝達機構
１１０…変位部
１３０…クラッチ機構
１４０…連動機構
１６０…保持手段
Ｐ…支点
【図１】
2014030595.tif 000003
【図２】
2014030595.tif 000004
【図３】
2014030595.tif 000005
【図４】
2014030595.tif 000006
【図５】
2014030595.tif 000007
【図６】
2014030595.tif 000008
【図７】
2014030595.tif 000009
【図８】
2014030595.tif 000010
【図９】
2014030595.tif 000011
【図１０】
2014030595.tif 000012
【図１１】
2014030595.tif 000013
【図１２】
2014030595.tif 000014
【図１３】
2014030595.tif 000015
【図１４】
2014030595.tif 000016